(57)【要約】【課題】  小便器使用者の適切な立ち位置を促し、小便器使用時の汚垂れを減少させること。【解決手段】  小便器下の汚垂石の表面に、小便器を設置してある壁に対して平行な、曲率の大きい円弧状、もしくは、頂角の大きい三角状の、深さが極浅く、幅が平均的な男性の靴底の長さの半分から３分の２ほどの溝を設け、靴底、特にかかとがこの溝にかかったとき、立ち位置がふさわしくないことを小便器使用者に感知させる。それと共に、靴のかかとが溝の中に入ったまま立つと、小便器使用者の重心がわずかに後ろに寄るため、その不自然さを改善しようと小便器使用者が小便器に対してより接近して立つようになる。これにより小便器使用時の汚垂れを減少させることができる。【選択図】図１
2010007443.tif 000002
【特許請求の範囲】
【請求項１】
小便器を設置してある壁に対して平行な、曲率の大きな円弧状、もしくは頂角の大きな三角状の溝が、小便器使用者の適切な立ち位置のわずか後方にある汚垂石。
【請求項２】
汚垂石上の水分を一カ所に集める効果がある請求項１の汚垂石。
【請求項３】
トイレ内の床面と同一平面となるように埋め込むことができる請求項１の汚垂石。
【請求項４】
トイレ内の床面と違う素材や色とした請求項１の汚垂石。
【請求項５】
トイレ内の床面よりもわずかに高くなる汚垂石で、小便器を設置してある壁に対して平行な汚垂石の縁と、トイレ内の床面とのつながりが、曲率の大きな円弧状、もしくは直線状の、極なだらかな傾斜となっている汚垂石。
【請求項６】
トイレ内の床面と違う素材や色とした請求項５の汚垂石。
【発明の詳細な説明】
【技術分野】
【０００１】  本発明は、小便器使用者の適切な立ち位置を促し、汚垂れの減少を期待できる汚垂石に関するものである。
【背景技術】
【０００２】  男子が小便器を使用するとき、気になるのは、他人の小便によるものと思われる足下の濡れである。特に公共施設にある男子トイレは、単位時間の使用回数が多いため、清掃が頻繁に行われているにも関わらず、濡れている場合が多い。【０００３】  他人の小便の上に靴を置くことは、とても不愉快であり、できる限り避けたいが、そのために小便器使用者が足下を気にしながら立つと、たとえば、つま先で立ったり、不安定な姿勢となるので、さらに小便を飛散させてしまう結果にもなりかねない。
【発明の開示】
【発明が解決しようとする課題】
【０００４】
【０００５】  小便器使用時の小便の飛散を防ぐための工夫が従来から様々行われている。たとえば、この注意を促す張り紙が小便器使用者の顔の直前にあることがあるが、これは、小便器使用者に小便の飛散防止を強制しているような圧迫感を与える。また、直接的な表現の張り紙は、高級なホテルなどには美的にふさわしくない。【０００６】  汚垂石のみをトイレ内の床面とは違う色や素材とし、かつ、トイレ内の床面より、わずかに高くなるような段差を与え、小便器使用者が適切な位置に立つように促す工夫も、現在の多くの男子トイレで見られる。【０００７】  これは美観を損なうこともなく、強制感もないが、汚垂れ防止の効果としては、不十分であることは、多くの小便器使用者の認知するところである。【０００８】  また、わずかであっても段差があれば、小便器使用者がつまずく危険性があるので、安全性の観点からも、汚垂石とトイレ内の床面との段差は無い方が好ましい。【０００９】  それに加えて、この汚垂石とトイレ内の床面との段差には、わずかながらも隅ができるため、モップなどで清掃する場合、拭き残しが発生していることが考えられる。衛生上の観点からも、トイレ内の床面と汚垂石は、同一平面である方が望ましい。
【発明の効果】
【００１０】  本発明の汚垂石の表面には、小便器を設置してある壁に対して平行な、曲率の大きい円弧状、もしくは、頂角の広い三角状の溝がある。【００１１】  この溝の幅は、平均的な男性靴の靴底の、半分から３分の２ほどの長さとする。【００１２】  この溝の深さは、極浅く、小便器使用者が、靴底、特にかかとをこの溝の中に入れたとしても正常に立つことができ、よろめいたり、後ろに倒れたりしないものとする。【００１３】  この溝の設置位置は、小便器使用者が、小便器に対して離れ過ぎて立ってしまった場合に、靴底、特にかかとが溝にかかり、小便器に対して接近し、適切な位置に立っている場合には何も影響しない位置とする。【００１４】  この極浅い溝が、小便器使用者の靴底、特にかかとにかかると、小便器使用者に立ち位置がふさわしくないことを感知させる。【００１５】  それと共に、その溝の中に靴底、とくにかかとが入ったままでは、小便器使用者の重心がわずかに後ろに寄るので、小便器使用者は、小便器に対して、より後ろに立ってしまったように感じる。【００１６】  小便器使用者は、その視線は小便器内の下方に向き、そのため体の重心は、わずかに前方に寄るのが一般であるから、わずかでも重心が後ろにあると、小便器使用者は不自然に感じ、その不自然さを改善しようとする。【００１７】  そのためには、小便器に対してさらに近づき、靴底、とくにかかとが溝にかからないにようにし、小便器に近接した汚垂石上の平面に靴底を置くようにすればよいことは、小便器使用者には容易に判断される。【００１８】  よって、小便器使用者を小便器に対し、より接近させて立たせることができる。【００１９】  ちなみに、かかとではなく、つま先をこの溝に入れて立つと、小便器使用者は、小便器に対して、あまりにも遠く離れて立つことになるため、そのような位置に小便器使用者が立つことは少ないと考えられる。また、小便器使用者が、つま先をこの溝の中に入れて立つようなことがないように、この極浅い溝の幅や設置位置を調整する。【００２０】  また、男子トイレに小便器使用者が入ってきたとき、小便器下の汚垂石の表面に、上記で示した極浅い溝があることを視覚で認識した小便器使用者は、場所柄、その中に水分が溜まっているかもしれないという意識を持つので、小便器使用者は、その溝の中に靴底を置くことを躊躇する。このことによっても、小便器使用者の適切な立ち位置を促す効果を期待できる。【００２１】  しかし、ここで注意すべきは、安全性と衛生上の観点から、この溝の深さは極浅く、かつ、この溝と汚垂石上の平面とがスムーズにつながるものにしておくことである。【００２２】  安全性を考慮した場合、小便器使用者が無意識のうちにこの溝の中に靴底、特にかかとを入れて立ってしまったとき、溝が深くて、小便器使用者の重心を過度に後ろに寄らせてしまうと、よろめいてしまい、最悪の場合、後ろに転倒する危険性がある。【００２３】  小便器使用者の重心移動は極わずかなもので十分であり、また、視覚的効果も、汚垂石の平面性が高いので、極浅い深さでも、汚垂石上に溝があることは十分認識される。【００２４】  また、溝と汚垂石上の平面とのつながりがスムーズではなく、たとえば段差や鋭いエッジがあると、この溝にかかとやつま先が引っかかり、小便器使用者がつまずく危険性がある。【００２５】  また、衛生を考慮した場合、この溝が深くて狭いと、飛散した小便が溝の中に流れ込んだとき、ある深さをもって溜まり、乾きにくくなるので不衛生である。【００２６】  溝の幅を比較的広く、かつ、溝の深さを極浅いものとしておけば、仮にこの溝の中に飛散した小便が流れ込んだとしても、乾きにくくなることはない。【００２７】  また、幅が比較的広く、深さが極浅いことに加えて、この溝と汚垂石上の平面とのつながりを、引っかかりのないスムーズなものにしておけば、モップなどで清掃する場合にも不都合はない。【００２８】  もっとも、この溝の設置位置は、小便器使用者の立ち位置よりも後方となるので、小便の飛散が直接この溝の中に落ちることは少ないと考えられるが、仮に、この溝の中に、小便の飛散が直接落ちる、または、汚垂石上の平面に飛散した小便が流れ込んだとしても、その分だけ、汚垂石上の水分を一カ所に集める効果があるので、濡れた汚垂石上の平面にに靴底を置かなくてすむ可能性を生み出せる。【００２９】  本発明の汚垂石は、小便器使用者を適切な位置に立たせる効果のある溝があるため、小便器使用者を適切な位置に立たせる効果を維持したまま、汚垂石全体を、トイレ内の床面と同一平面となるように埋め込むことができるので、トイレ内の床面に段差を生じさせることがない。【００３０】  トイレ内の床面の段差をなくせば、モップなどでトイレ内の床面を清掃するときも、拭き残しが発生しなくなり衛生的である。【００３１】  また、小便器使用者がつまずく危険性を少なくできる。【００３２】  むろん、この汚垂石のみをトイレ内の床面とは違う色や材質とし、視覚的に小便器使用者の適切な立ち位置を促す効果も付加することができる。【００３３】  ただし、上記で示した本発明の汚垂石の面積は、極浅く広い溝があるために、現在多く使われている汚垂石よりも若干広くなる。【００３４】  トイレには、上記で示した本発明の汚垂石を設置するための、十分なスペースが確保できない場合もあるので、本発明の汚垂石の多くの機能を保持し、設置面積を狭くできるように簡略化した汚垂石を用意する。【００３５】  これは、従来の汚垂石と同様に、トイレ内の床面からわずかに高くなるような段差を与えるが、小便器を設置してある壁に対して平行な汚垂石の縁と、トイレ内の床面とのつながりが、曲率の大きい円弧状、もしくは直線状の、極なだらかな傾斜とし、トイレ内の床面と滑らかにつながるようにする。【００３６】  この極なだらかな傾斜の設置位置は、小便器使用者が、小便器に対して離れ過ぎて立ってしまった場合に、靴底、特にかかとが傾斜にかかり、小便器に対して接近し、適切な位置に立っている場合には何も影響しない位置とする。【００３７】  このようにしても、小便器使用者が不適切な位置に立った場合、靴底、特にかかとが、この曲率の大きい円弧状、もしくは直線状の、極なだらかな傾斜にかかるようになるので、上記の極浅い溝を持った汚垂石と同様な効果を持たせることができる。
【発明を実施するための最良の形態】
【００３８】  ここからは、図を参照しながら本発明を説明する。【００３９】  図１は、本発明の汚垂石１０の全体図である。曲率の大きい円弧状の、本発明の汚垂石上の溝１１が、小便器を設置してある壁９に対して平行にある。この極浅い溝の設置位置は、小便器使用者が小便器１２に対して離れて立った場合には、小便器使用者の靴底、特にかかとがこの溝にかかり、小便器使用者が小便器１２に対して適切な位置に立った場合には、何も影響しない位置とする。【００４０】  図２は、本発明の汚垂石１０に、小便器使用者の靴のかかと１４が、本発明の汚垂石上の溝１１にかかっている状態を示している。小便器使用者の靴１３である。本発明の汚垂石上の溝１１の、本発明の汚垂石上の平面８からの深さは極浅く、約１ｍｍから約１０ｍｍほどになり得る。溝の幅は、平均的な男性靴の長さの半分から３分の２ほどとする。すなわち、約１４ｃｍから約２０ｃｍとなり得る。本発明の汚垂石上の平面と溝のつながり部分７は、かかとやつま先が引っかからないように、滑らかにつながるように注意する。【００４１】  図３は、本発明の汚垂石１０の側面図である。小便器１２である。本発明の汚垂石上の溝１１である。小便器を設置してある壁９である。本発明の汚垂石１０は、本発明の汚垂石と側面に接するトイレ内の床面１５と同一平面となるように接続することができ、小便器使用者を適切な位置に立たせる効果を保持しながら、トイレ内の床面と同一平面となるように埋め込むことで段差を無くし、小便器使用者がつまずいて転倒する危険性を少なくできる。【００４２】  図４は、設置幅を少なくできる簡易型の本発明の汚垂石２０の側面図である。これは本発明の効果を多く保持しながら、状来の汚垂石と同様な方法で設置することができる。簡易型の本発明の汚垂石の曲率の大きい円弧状の傾斜２１は、本発明の汚垂石と上面に接するトイレ内の床面１６と、なだらかにつながるようにする。
【図面の簡単な説明】
【００４３】
【図１】  本発明の汚垂石の全体図である。
【図２】  本発明の汚垂石上の溝の拡大図である。
【図３】  本発明の汚垂石の側面図である。
【図４】  簡易型の本発明の汚垂石の側面図である。
【符号の説明】
【００４４】  ７      本発明の汚垂石上の平面と溝のつながり部分
８      本発明の汚垂石上の平面
９      小便器を設置してある壁
１０      本発明の汚垂石
１１      本発明の汚垂石上の溝
１２      小便器
１３      小便器使用者の靴
１４      小便器使用者の靴のかかと
１５      本発明の汚垂石と側面に接するトイレの床面
１６      本発明の汚垂石と上面に接するトイレの床面
２０      簡易型の本発明の汚垂石
２１      簡易型の本発明の汚垂石の曲率の大きい円弧状の傾斜
【図１】
2010007443.tif 000003
【図２】
2010007443.tif 000004
【図３】
2010007443.tif 000005
【図４】
2010007443.tif 000006